(57)【要約】【課題】  近接無線通信を用いて実行されるアプリケーションを有した無線通信モジュールを内蔵した携帯型情報端末において、実行されるアプリケーションがサービスシステムに対応していることをユーザが確認できる携帯型情報端末を提供する。【解決手段】  本発明の携帯型情報端末である携帯電話１０には、近傍型無線通信を用いてサービスシステムとデータ通信を行う無線モジュール１１０が内蔵される。無線モジュール１１０のアプリケーション部１１４には、２つのアプリケーションが格納され、アプリケーションコントローラ部１１３は、サービスシステムから指示されるアプリケーションを実行する際は、イメージ格納部１１２に格納され、指示されるアプリケーションに対応したイメージ情報を液晶ディスプレイ１３０に表示する。【選択図】      図３
2006279645.tif 000002
【特許請求の範囲】
【請求項１】
近傍型無線通信を用いてサービスシステムとデータ通信を行う無線通信モジュールを内蔵し、情報を可視的に表示するディスプレイを備えた携帯型情報端末であって、前記無線通信モジュールは、近傍型無線通信を用い、前記サービスシステムで利用されるアプリケーションと、前記アプリケーションの内容を可視的に表示するイメージ情報とを格納し、前記無線通信モジュールは、近傍型無線通信を用い前記サービスシステムから指示される前記アプリケーションを実行する際に、実行する前記アプリケーションに対応する前記イメージ情報を、前記携帯型情報端末の前記ディスプレイに表示することを特徴とする携帯型情報端末。
【請求項２】
請求項１に記載の携帯型情報端末であって、前記携帯型情報端末に内蔵される前記無線通信モジュールが、前記サービスシステムとデータ通信を行う近傍型無線通信は、ＩＳＯ１４４４３規格で規格化されたデータ通信、赤外線データ通信およびブルートゥースのいづれかであることを特徴とする携帯型情報端末。
【発明の詳細な説明】
【技術分野】
【０００１】
本発明は、無線を用い携帯可能な電話である携帯電話に代表されるような携帯型情報端末に関し、更に詳しくは、非接触ＩＣカードのように、アプリケーションを有し、近傍型無線通信を用いて通信する無線通信モジュールを内蔵した携帯型情報端末に関する。
【背景技術】
【０００２】
無線を用い携帯可能な電話である携帯電話の日本国内における普及は目覚しく、日本国内での携帯電話契約数は７０００万人を超えるまでに到り、この広く普及した携帯電話に様々な機能を付加する試みがなされている。携帯電話に付加される機能としてはインターネット端末としての機能が有名であるが、金融用途や交通用途で普及が進んでいるＩＣカードの機能を携帯電話に搭載し、金融用途や交通用途などのＩＣカードを利用するサービスシステムで、携帯電話の利用を可能にする試みもなされている。
【０００３】
携帯電話にＩＣカードの機能を搭載する手法としては、携帯電話に非接触ＩＣカードとデータ通信するインターフェース（リーダライタの機能）を持たせる手法（例えば、特許文献１）、携帯電話に無線モジュールを内蔵する手法（例えば、特許文献２）、携帯電話に内蔵されるＳＩＭに非接触通信の機能を持たせる手法（例えば、特許文献３）などの手法がすでに開示されている。
【０００４】
しかしながら、ＩＣカードのマルチアプリケーション化が進むにつれて、携帯電話に搭載されるＩＣカードの機能も、複数のサービスシステム（例えば、定期券とドアゲートのドア鍵）で使用される複数の機能が搭載されることになり、これまでの述べた従来の技術では、ＩＣカードの機能が搭載された携帯電話のユーザは、ユーザが利用するサービスシステムに、実行されるＩＣカードの機能が対応していることを確認できない問題があった。
【特許文献１】特開２００１-５９２０号公報
【特許文献２】特開２００２-２１８０３１号公報
【特許文献３】特開２００２-２０３２２４号公報
【発明の開示】
【発明が解決しようとする課題】
【０００５】
そこで上述した問題を鑑みて、本発明は、近接無線通信を用いて実行されるアプリケーションを有する無線通信モジュールを内蔵した携帯型情報端末において、ユーザが利用するサービスシステムに実行されるアプリケーションが対応していることを、ユーザが確認することのできる携帯型情報端末を提供することを目的とする。
【課題を解決するための手段】
【０００６】
上述した課題を解決する本発明は、近傍型無線通信を用いてサービスシステムとデータ通信を行う無線通信モジュールを内蔵し、情報を可視的に表示するディスプレイを備えた携帯型情報端末であって、前記無線通信モジュールは、近傍型無線通信を用い、前記サービスシステムで利用されるアプリケーションと、前記アプリケーションの内容を可視的に表示するイメージ情報とを格納し、前記無線通信モジュールは、近傍型無線通信を用い前記サービスシステムから指示される前記アプリケーションを実行する際に、実行する前記アプリケーションに対応する前記イメージ情報を、前記携帯型情報端末の前記ディスプレイに表示することを特徴とする携帯型情報端末である。
【０００７】
ここで本発明において、前記携帯型情報端末とは、ユーザが携帯可能な情報端末で、携帯電話やＰＤＡ（Personal Digital Assistance）などを意味する。また、近傍型無線通信とは、ＩＳＯ１４４４３規格で規格化されている非接触ＩＣカード用通信（ＴｙｐｅＡ，Ｂ）のように通信距離が１０ｃｍ程度までの無線通信や、赤外線を用いたデータ通信（Infrared Data Association）のように通信距離が１ｍ程度までの無線通信や、ブルートゥース（Bluetooth）などのように通信距離が１０ｍ程度までの無線通信を意味している。
【０００８】
前記携帯型情報端末に備えられた前記無線通信モジュールが、近傍型無線通信を用い前記サービスシステムから指示される前記アプリケーションを実行する際に、実行する前記アプリケーションに対応する前記イメージ情報を、前記携帯型情報端末の前記ディスプレイに表示させることで、ユーザは実行される前記アプリケーションを確認することができる。そして、ユーザが実行される前記アプリケーションを確認できることは、前記サービスシステムに対応しない前記アプリケーションが実行されるときは、電源をＯＦＦにするなどして、ユーザ自身で対処することが可能になる。
【発明の効果】
【０００９】
上述した本発明によれば、近接無線通信を用いて実行されるアプリケーションを有する無線通信モジュールを内蔵した携帯型情報端末において、近傍型無線通信を用いて実行されるアプリケーションに関する情報を携帯型情報端末に表示させることで、ユーザが利用するサービスシステムに実行されるアプリケーションが対応していることをユーザが確認することのできる携帯型情報端末を提供できる。
【発明を実施するための最良の形態】
【００１０】
ここから、本発明に係り、近傍型無線通信を用いたアプリケーションを有する無線モジュールが搭載された携帯電話について、図を参照しながら詳細に説明する。図１は、本発明に係る携帯電話１０の使用例を説明する図である。
【００１１】
本実施の形態において、図１の携帯電話１０には、携帯電話基地局３０と携帯電話用の周波数帯（例えば、８００ＭＨｚ帯や１．５ＧＨｚ帯）を使用した携帯電話としての役割を果たす機能と、近傍型無線通信の周波数帯帯（例えば、１３．５６ＭＨｚ帯）を使用するサービスシステムである自動改札機３０において、定期券としての役割を果たす機能と、同じく近傍型無線通信の周波数帯帯を使用するサービスシステムであるドアゲートシステム３１において、ドア鍵としての役割を果たす機能とが備えられている。
【００１２】
図１に示したように、携帯電話１０のユーザは、１台の携帯電話１０を所持することで、携帯電話１０の機能を用いて、インターネット通信や通話を行うことができ、加えて、定期券としての機能を用いて自動改札機３０を利用したり、ドア鍵としての機能を用いてドアゲートの解除を行うことができる。なお、携帯電話１０には、近傍型無線通信を用いた機能（ここでは、定期券とドア鍵）が動作するときに、現在、動作している機能（ここでは、定期券とドア鍵）に対応したイメージ情報が、携帯電話１０の液晶ディスプレイ１３０に可視化されて表示される。
【００１３】
図２は、図１で示した携帯電話１０の内部構造を説明する図である。図２に示すように、携帯電話１０の内部には、携帯電話としての機能を実現する電気回路が実装されている携帯電話モジュール１２０と、近傍型無線通信時に動作するＩＣチップである無線モジュール１１０と、近傍型無線通信時に動作する機能（ここでは、定期券とドア鍵）に対応したイメージ情報が表示される液晶ディスプレイ１３０が備えられている。
【００１４】
なお、図２においては、本発明を説明するために必要な要素のみ記載している。当然のことながら、携帯電話１０にはスピーカ・マイクや携帯電話用のアンテナなどの、携帯電話に必要な様々な要素が備わっている。
【００１５】
図３は携帯電話１０のブロック図である。上述したように、携帯電話１０には、無線通信モジュール１１０と、携帯電話モジュール１２０と、液晶ディスプレイが備わっている。
【００１６】
携帯電話１０に内蔵される無線モジュール１１０には、近傍型無線通信の電波を受信する近傍型無線用アンテナ１１１と、近傍型無線用通信で実行されるアプリケーションが記憶されるアプリケーション部１１４と、アプリケーション部１１４の実行を制御するアプリケーションコントローラ部１１３と、アプリケーション部１１４に格納されるアプリケーションを実行するときに、液晶ディスプレイ１３０に表示されるイメージ情報が格納されるイメージ格納部１１２が備えられている。
【００１７】
携帯電話１０に内蔵された近傍型無線用アンテナ１１１とは、近傍型無線通信の周波数帯帯の電波を受信するアンテナで、携帯電話１０と近傍型無線通信で交信するサービスシステムの種別や用途によってアンテナの仕様は異なる。
【００１８】
例えばサービスシステムと、ＩＳＯ１４４４３規格に準拠した近傍型無線通信（１３．５６ＭＨｚ周波数帯）を行う場合は、近傍型無線用アンテナは２から３ターンの銅線コイルなどになるし、ブルートゥース規格に準拠した近傍型無線通信（２．４５ＧＨｚ周波数帯）を行う場合は、近傍型無線用アンテナは小型モノポールアンテナになる。
【００１９】
本実施の形態においては、無線モジュール１１０のアプリケーション部１１４に格納されるアプリケーションは、上述したように、携帯電話１０を定期券として使用するためのアプリケーションで、例えば、Felica（登録商標）に代表される定期券アプリケーション１１４ａと、携帯電話１０をドア鍵として使用するためのアプリケーションであるドアゲートアプリケーション１１４ｂが格納されている。
【００２０】
無線モジュール１１０のアプリケーションコントローラ部１１３とは、アプリケーション部１１４に格納されるアプリケーションを実行したり、実行するアプリケーションに対応するイメージ情報を液晶ディスプレイ１３０に表示する機能を備えている。
【００２１】
例えば、図１において、自動改札機３０やドアゲートシステム３１が発信する近傍型無線通信用の電波を近傍型無線用アンテナが受信すると、アプリケーションコントローラ部１１３は、定期券アプリケーション１１４ａやドアゲートアプリケーション１１４ｂに対応するイメージ情報をイメージ格納部１１２から取得し、取得したイメージ情報を液晶ディスプレイ１３０に表示した後、定期券アプリケーション１１４ａやドアゲートアプリケーション１１４ｂを実行する。実行されるアプリケーションに対応するイメージ情報が可視化して表示されることで、携帯電話１０のユーザは実行されるアプリケーションを確認することができる。
【００２２】
図４、図５は、携帯電話１０の液晶ディスプレイ１３０に表示されるイメージ情報の一例を示した図である。図４は、携帯電話１０の定期券アプリケーション１１４ａが実行されるときに、液晶ディスプレイ１３０に表示されるイメージ情報で、図５は、携帯電話１０のドアゲートアプリケーション１１４ｂが実行されるときに、液晶ディスプレイ１３０に表示されるイメージ情報である。
【００２３】
定期券アプリケーション１１４ａが実行されるときに携帯電話１０の液晶ディスプレイ１３０に表示される図４のイメージ情報１３０ａと、ドアゲートアプリケーション１１４ｂが実行されるときに、携帯電話１０の液晶ディスプレイ１３０に表示される図５のイメージ情報１３０ｂとは異なるので、携帯電話１０のユーザは、それぞれのサービスシステムに対応したアプリケーションが間違いなく実行されていることを確認できる。
【００２４】
ここから、図を参照しながら、図４のイメージ情報が表示される手順について説明する。図６は、図４のイメージ情報が表示される手順を示したフロー図である。図４のイメージ情報が表示される手順の最初のステップＳ１０は、自動改札機３０から送信される近傍型無線通信の信号を受信するステップである。
【００２５】
このステップでは、図４に示した自動改札機３０の近傍にユーザが近づくと、自動改札機３０から送信される近傍型無線通信の電波を携帯電話１０の近傍型無線用アンテナ１１１が受信し、受信した電波はアプリケーションコントローラ部１１３でデコードされる。自動改札機３０から送信される信号には、少なくとも、実行されるアプリケーションを識別する識別情報（例えば、ＡＩＤ；Application Identifierやサービスコードなど）が含まれ、アプリケーションコントローラ部１１３はこの識別情報から、実行するアプリケーションを特定する。
【００２６】
次のステップＳ１１は、識別情報に対応するアプリケーションのイメージ情報を液晶ディスプレイ１３０に表示するステップである。このステップにおいては、アプリケーションコントローラ部１１３は、識別情報に対応するイメージ情報（ここでは、定期券のイメージ情報）をイメージ格納部１１２から取得し、取得した定期券アプリケーション１１４ａのイメージ情報を液晶ディスプレイ１３０に表示する。
【００２７】
次のステップＳ１２は、識別情報に対応するアプリケーションが実行されるステップである。このステップにおいては、アプリケーションコントローラ部１１３は、アプリケーション部１１４に格納され、識別情報に対応するアプリケーション（ここでは、定期券アプリケーション１１４ａ）を実行する。このステップＳ１２をもって、図４のイメージ情報が表示される手順は終了する。
【００２８】
なお、図６では、図４のイメージ情報が表示される手順について説明したが、図５のイメージ情報が表示される場合も同様の手順が実行される。
【００２９】
このように、本発明を適用した携帯電話１０によれば、ユーザが使用するサービスシステム（ここでは、自動改札機３０とドアゲートシステム３１）に応じて、携帯電話１０の液晶ディスプレイ１３０に表示されるイメージ情報は異なるため、サービスシステムに対応したアプリケーションが間違いなく実行されていることを、ユーザは確認することができる。
【図面の簡単な説明】
【００３０】
【図１】本発明に係る携帯電話の使用例を説明する図。
【図２】本発明に係る携帯電話の内部構造を説明する図。
【図３】本発明に係る携帯電話のブロック図。
【図４】自動改札機で利用されるときに表示されるイメージ情報。
【図５】ドアゲートシステムで利用されるときに表示されるイメージ情報。
【図６】イメージ情報が表示される手順を示したフロー図。
【符号の説明】
【００３１】
１０  携帯電話
１１０  無線モジュール
１１１  近傍型無線用アンテナ
１１２  イメージ格納部
１１３  アプリケーションコントローラ部
１１４  アプリケーション部
１１４ａ  定期券アプリケーション
１１４ｂ  ドアゲートアプリケーション
１２０  携帯電話モジュール
１３０  液晶ディスプレイ
２０  携帯電話基地局
３０  自動改札機
３１  ドアゲートシステム
【図１】
2006279645.tif 000003
【図２】
2006279645.tif 000004
【図３】
2006279645.tif 000005
【図４】
2006279645.tif 000006
【図５】
2006279645.tif 000007
【図６】
2006279645.tif 000008